(57)【特許請求の範囲】
【請求項１】
データ系加入者線端局装置と、
映像系加入者線端局装置と、
データ系信号を前記データ系加入者線端局装置との間で送受信するデータ系加入者線終端装置と、
映像系信号を前記映像系加入者線端局装置から受信し、自己の設定内容を示すデータの送信及び受信のうち少なくともいずれかを前記データ系加入者線終端装置を介して前記データ系加入者線端局装置との間で実行する映像系加入者線終端装置と、
を備えることを特徴とする映像系加入者線終端装置の遠隔管理システム。
【請求項２】
前記映像系加入者線終端装置は、
自己の警報内容を示すデータの送信を前記データ系加入者線終端装置を介して前記データ系加入者線端局装置との間で実行することを特徴とする請求項１に記載の映像系加入者線終端装置の遠隔管理システム。
【請求項３】
映像系加入者線終端装置であって、
映像系信号を映像系加入者線端局装置から受信する映像系信号受信部と、
前記映像系加入者線終端装置の設定内容を示すデータの送信及び受信のうち少なくともいずれかをデータ系加入者線終端装置を介してデータ系加入者線端局装置との間で実行する設定内容データ通信部と、
を備えることを特徴とする映像系加入者線終端装置。
【請求項４】
前記映像系加入者線終端装置の警報内容を示すデータの送信をデータ系加入者線終端装置を介してデータ系加入者線端局装置との間で実行する警報内容データ送信部をさらに備えることを特徴とする請求項３に記載の映像系加入者線終端装置。
【請求項５】
データ系信号をデータ系加入者線終端装置との間で送受信するデータ系信号送受信部と、
映像系加入者線終端装置の設定内容を示すデータの送信及び受信のうち少なくともいずれかを前記データ系加入者線終端装置を介して前記映像系加入者線終端装置との間で実行する設定内容データ通信部と、
を備えることを特徴とするデータ系加入者線端局装置。
【請求項６】
前記映像系加入者線終端装置の警報内容を示すデータの受信を前記データ系加入者線終端装置を介して前記映像系加入者線終端装置との間で実行する警報内容データ受信部をさらに備えることを特徴とする請求項５に記載のデータ系加入者線端局装置。
【請求項７】
データ系加入者線端局装置において、映像系加入者線終端装置の設定内容を示すデータをデータ系加入者線終端装置に送信する設定内容データ下り送信ステップと、
前記データ系加入者線終端装置において、前記映像系加入者線終端装置の設定内容を示すデータを前記映像系加入者線終端装置に中継する設定内容データ下り中継ステップと、
前記映像系加入者線終端装置において、自己の設定内容を示すデータを前記データ系加入者線終端装置から受信する設定内容データ下り受信ステップと、
を順に行う遠隔設定手順を備えることを特徴とする映像系加入者線終端装置の遠隔管理方法。
【請求項８】
前記設定内容データ下り送信ステップでは、前記データ系加入者線端局装置において、
前記映像系加入者線終端装置の設定内容を示すデータを含むＯＡＭフレームを作成し前記データ系加入者線終端装置に送信し、
前記設定内容データ下り中継ステップでは、前記データ系加入者線終端装置において、
前記映像系加入者線終端装置の設定内容を示すデータを含むＯＡＭフレームを解析することを特徴とする請求項７に記載の映像系加入者線終端装置の遠隔管理方法。
【請求項９】
映像系加入者線終端装置において、自己の設定内容を示すデータをデータ系加入者線終端装置に送信する設定内容データ上り送信ステップと、
前記データ系加入者線終端装置において、前記映像系加入者線終端装置の設定内容を示すデータを前記データ系加入者線端局装置に中継する設定内容データ上り中継ステップと、
前記データ系加入者線端局装置において、前記映像系加入者線終端装置の設定内容を示すデータを前記データ系加入者線終端装置から受信する設定内容データ上り受信ステップと、
を順に行う遠隔設定手順を備えることを特徴とする映像系加入者線終端装置の遠隔管理方法。
【請求項１０】
前記設定内容データ上り中継ステップでは、前記データ系加入者線終端装置において、
前記映像系加入者線終端装置の設定内容を示すデータを含むＯＡＭフレームを作成し、前記データ系加入者線端局装置に送信し、
前記設定内容データ上り受信ステップでは、前記データ系加入者線端局装置において、
前記映像系加入者線終端装置の設定内容を示すデータを含むＯＡＭフレームを解析することを特徴とする請求項９に記載の映像系加入者線終端装置の遠隔管理方法。
【請求項１１】
映像系加入者線終端装置において、自己の警報内容を示すデータをデータ系加入者線終端装置に送信する警報内容データ送信ステップと、
前記データ系加入者線終端装置において、前記映像系加入者線終端装置の警報内容を示すデータを前記データ系加入者線端局装置に中継する警報内容データ中継ステップと、
前記データ系加入者線端局装置において、前記映像系加入者線終端装置の警報内容を示すデータを前記データ系加入者線終端装置から受信する警報内容データ受信ステップと、
を順に行う遠隔監視手順を備えることを特徴とする請求項７から１０のいずれかに記載の映像系加入者線終端装置の遠隔管理方法。
【請求項１２】
前記警報内容データ中継ステップでは、前記データ系加入者線終端装置において、前記映像系加入者線終端装置の警報内容を示すデータを含むＯＡＭフレームを作成し前記データ系加入者線端局装置に送信し、
前記警報内容データ受信ステップでは、前記データ系加入者線端局装置において、前記映像系加入者線終端装置の警報内容を示すデータを含むＯＡＭフレームを解析することを特徴とする請求項１１に記載の映像系加入者線終端装置の遠隔管理方法。
【発明の詳細な説明】
【技術分野】
【０００１】
本発明は、映像系加入者線終端装置の遠隔設定及び遠隔監視を実行する技術に関する。
【背景技術】
【０００２】
光加入者システムは、加入者線端局装置（ＯＬＴ）及び加入者線終端装置（ＯＮＵ）の間の通信制御プロトコル等が標準化されたＥＰＯＮシステム、映像配信システム並びにＩＥＥＥ８０２．３ａｈによる物理インタフェースを、同一の光ファイバに収容したシステムである。光加入者システムは、データ系加入者線端局装置（Ｄ−ＯＬＴ）及び映像系加入者線端局装置（Ｖ−ＯＬＴ）を電話局等に備え、ＯＮＵをユーザ宅内やユーザビル構内等に備える。Ｄ−ＯＬＴは、上位ネットワークに接続され、データ系信号をＯＮＵとの間で送受信する。Ｖ−ＯＬＴは、映像配信キャリアに接続され、映像系信号をＯＮＵに送信する。ＯＮＵは、ユーザ端末に接続され、データ系信号をＤ−ＯＬＴとの間で送受信し、映像系信号をＶ−ＯＬＴから受信する。ここで、データ系信号とは、イーサネット（登録商標）フレームの集合体を意味する。
【０００３】
図１は、ポイントツーポイントの光加入者システムを示す図である。図１の光加入者システムは、上位ネットワークＮ、映像配信キャリアＣ、ユーザ端末Ｔ、光ファイバＦ、光スプリッタＳ、Ｄ−ＯＬＴ１、Ｖ−ＯＬＴ２及びＯＮＵ３から構成される。Ｄ−ＯＬＴ１及びＶ−ＯＬＴ２は、ＯＮＵ３とポイントツーポイントで接続される。図２は、ポイントツーマルチポイントの光加入者システムを示す図である。図２の光加入者システムは、上位ネットワークＮ、映像配信キャリアＣ、ユーザ端末Ｔ−１、Ｔ−２、・・・、Ｔ−Ｎ、光ファイバＦ、光スプリッタＳ、Ｄ−ＯＬＴ１、Ｖ−ＯＬＴ２及びＯＮＵ３−１、３−２、・・・、３−Ｎから構成される。Ｄ−ＯＬＴ１及びＶ−ＯＬＴ２は、ＯＮＵ３−１、３−２、・・・、３−Ｎとポイントツーマルチポイントで接続される。
【先行技術文献】
【特許文献】
【０００４】
【特許文献１】特開２００９−２９６３３６号公報
【発明の概要】
【発明が解決しようとする課題】
【０００５】
特許文献１が開示する光加入者システムでは、データ系加入者線終端装置（Ｄ−ＯＮＵ）及び映像系加入者線終端装置（Ｖ−ＯＮＵ）は、それぞれ独立のＯＮＵである。ここで、Ｄ−ＯＬＴは、データ系信号をＤ−ＯＮＵとの間で送受信するが、Ｖ−ＯＬＴは、映像系信号をＶ−ＯＮＵに送信するのみであり、データ系信号をＶ−ＯＮＵとの間で送受信しない。よって、Ｄ−ＯＬＴは、データ系信号によるＤ−ＯＮＵの遠隔設定及び遠隔監視を実行することができるが、Ｖ−ＯＬＴは、データ系信号によるＶ−ＯＮＵの遠隔設定及び遠隔監視を実行することができない。そこで、Ｖ−ＯＮＵの設定についてはお客様宅にて対応しており、Ｖ−ＯＮＵの監視については対応しておらず、通信事業者はお客様から故障情報を得た後にお客様宅にて故障修理を行う非効率的な運用を求められている。
【０００６】
そこで、前記課題を解決するために、本発明は、映像系加入者線終端装置の遠隔設定及び遠隔監視を実行し、映像系加入者線終端装置の効率的な運用を可能とする技術を提供することを目的とする。
【課題を解決するための手段】
【０００７】
上記目的を達成するために、映像系加入者線終端装置が、データ系加入者線終端装置を介してデータ系加入者線端局装置の間で、自己の設定内容を示すデータの送受信を実行するようにした。映像系加入者線終端装置が、データ系加入者線終端装置を介してデータ系加入者線端局装置の間で、自己の警報内容を示すデータの送信を実行するようにした。
【０００８】
具体的には、本発明は、データ系加入者線端局装置と、映像系加入者線端局装置と、データ系信号を前記データ系加入者線端局装置との間で送受信するデータ系加入者線終端装置と、映像系信号を前記映像系加入者線端局装置から受信し、自己の設定内容を示すデータの送信及び受信のうち少なくともいずれかを前記データ系加入者線終端装置を介して前記データ系加入者線端局装置との間で実行する映像系加入者線終端装置と、を備えることを特徴とする映像系加入者線終端装置の遠隔設定システムである。
【０００９】
この構成によれば、データ系加入者線終端装置を介して、映像系加入者線終端装置の遠隔設定をデータ系加入者線端局装置から実行することができ、映像系加入者線終端装置の設定内容をデータ系加入者線端局装置に送信することができる。
【００１０】
また、本発明は、データ系加入者線端局装置と、映像系加入者線端局装置と、データ系信号を前記データ系加入者線端局装置との間で送受信するデータ系加入者線終端装置と、映像系信号を前記映像系加入者線端局装置から受信し、自己の警報内容を示すデータの送信を前記データ系加入者線終端装置を介して前記データ系加入者線端局装置との間で実行する映像系加入者線終端装置と、を備えることを特徴とする映像系加入者線終端装置の遠隔監視システムである。
【００１１】
この構成によれば、データ系加入者線終端装置を介して、映像系加入者線終端装置の遠隔監視をデータ系加入者線端局装置から実行することができる。
【００１２】
また、本発明は、映像系加入者線終端装置であって、映像系信号を映像系加入者線端局装置から受信する映像系信号受信部と、前記映像系加入者線終端装置の設定内容を示すデータの送信及び受信のうち少なくともいずれかをデータ系加入者線終端装置を介してデータ系加入者線端局装置との間で実行する設定内容データ通信部と、を備えることを特徴とする映像系加入者線終端装置である。
【００１３】
この構成によれば、データ系加入者線終端装置を介して、映像系加入者線終端装置の遠隔設定をデータ系加入者線端局装置から実行することができ、映像系加入者線終端装置の設定内容をデータ系加入者線端局装置に送信することができる。
【００１４】
また、本発明は、映像系加入者線終端装置であって、映像系信号を映像系加入者線端局装置から受信する映像系信号受信部と、前記映像系加入者線終端装置の警報内容を示すデータの送信をデータ系加入者線終端装置を介してデータ系加入者線端局装置との間で実行する警報内容データ送信部と、を備えることを特徴とする映像系加入者線終端装置である。
【００１５】
この構成によれば、データ系加入者線終端装置を介して、映像系加入者線終端装置の遠隔監視をデータ系加入者線端局装置から実行することができる。
【００１６】
また、本発明は、データ系信号をデータ系加入者線終端装置との間で送受信するデータ系信号送受信部と、映像系加入者線終端装置の設定内容を示すデータの送信及び受信のうち少なくともいずれかを前記データ系加入者線終端装置を介して前記映像系加入者線終端装置との間で実行する設定内容データ通信部と、を備えることを特徴とするデータ系加入者線端局装置である。
【００１７】
この構成によれば、データ系加入者線終端装置を介して、映像系加入者線終端装置の遠隔設定をデータ系加入者線端局装置から実行することができ、映像系加入者線終端装置の設定内容をデータ系加入者線端局装置に送信することができる。
【００１８】
また、本発明は、データ系信号をデータ系加入者線終端装置との間で送受信するデータ系信号送受信部と、映像系加入者線終端装置の警報内容を示すデータの受信を前記データ系加入者線終端装置を介して前記映像系加入者線終端装置との間で実行する警報内容データ受信部と、を備えることを特徴とするデータ系加入者線端局装置である。
【００１９】
この構成によれば、データ系加入者線終端装置を介して、映像系加入者線終端装置の遠隔監視をデータ系加入者線端局装置から実行することができる。
【００２０】
また、本発明は、データ系加入者線端局装置において、映像系加入者線終端装置の設定内容を示すデータをデータ系加入者線終端装置に送信する設定内容データ下り送信ステップと、前記データ系加入者線終端装置において、前記映像系加入者線終端装置の設定内容を示すデータを前記映像系加入者線終端装置に中継する設定内容データ下り中継ステップと、前記映像系加入者線終端装置において、自己の設定内容を示すデータを前記データ系加入者線終端装置から受信する設定内容データ下り受信ステップと、を順に備えることを特徴とする映像系加入者線終端装置の遠隔設定方法である。
【００２１】
この構成によれば、データ系加入者線終端装置を介して、映像系加入者線終端装置の遠隔設定をデータ系加入者線端局装置から実行することができる。
【００２２】
また、本発明は、前記設定内容データ下り送信ステップでは、前記データ系加入者線端局装置において、前記映像系加入者線終端装置の設定内容を示すデータを含むＯＡＭフレームを作成し前記データ系加入者線終端装置に送信し、前記設定内容データ下り中継ステップでは、前記データ系加入者線終端装置において、前記映像系加入者線終端装置の設定内容を示すデータを含むＯＡＭフレームを解析することを特徴とする映像系加入者線終端装置の遠隔設定方法である。
【００２３】
この構成によれば、ＯＡＭフレームを利用することにより、データ系加入者線終端装置を介して、映像系加入者線終端装置の遠隔設定をデータ系加入者線端局装置から実行することができる。
【００２４】
また、本発明は、映像系加入者線終端装置において、自己の設定内容を示すデータをデータ系加入者線終端装置に送信する設定内容データ上り送信ステップと、前記データ系加入者線終端装置において、前記映像系加入者線終端装置の設定内容を示すデータを前記データ系加入者線端局装置に中継する設定内容データ上り中継ステップと、前記データ系加入者線端局装置において、前記映像系加入者線終端装置の設定内容を示すデータを前記データ系加入者線終端装置から受信する設定内容データ上り受信ステップと、を順に備えることを特徴とする映像系加入者線終端装置の遠隔設定方法である。
【００２５】
この構成によれば、データ系加入者線終端装置を介して、映像系加入者線終端装置の設定内容をデータ系加入者線端局装置に送信することができる。
【００２６】
また、本発明は、前記設定内容データ上り中継ステップでは、前記データ系加入者線終端装置において、前記映像系加入者線終端装置の設定内容を示すデータを含むＯＡＭフレームを作成し、前記データ系加入者線端局装置に送信し、前記設定内容データ上り受信ステップでは、前記データ系加入者線端局装置において、前記映像系加入者線終端装置の設定内容を示すデータを含むＯＡＭフレームを解析することを特徴とする映像系加入者線終端装置の遠隔設定方法である。
【００２７】
この構成によれば、ＯＡＭフレームを利用することにより、データ系加入者線終端装置を介して、映像系加入者線終端装置の設定内容をデータ系加入者線端局装置に送信することができる。
【００２８】
また、本発明は、映像系加入者線終端装置において、自己の警報内容を示すデータをデータ系加入者線終端装置に送信する警報内容データ送信ステップと、前記データ系加入者線終端装置において、前記映像系加入者線終端装置の警報内容を示すデータを前記データ系加入者線端局装置に中継する警報内容データ中継ステップと、前記データ系加入者線端局装置において、前記映像系加入者線終端装置の警報内容を示すデータを前記データ系加入者線終端装置から受信する警報内容データ受信ステップと、を順に備えることを特徴とする映像系加入者線終端装置の遠隔監視方法である。
【００２９】
この構成によれば、データ系加入者線終端装置を介して、映像系加入者線終端装置の遠隔監視をデータ系加入者線端局装置から実行することができる。
【００３０】
また、本発明は、前記警報内容データ中継ステップでは、前記データ系加入者線終端装置において、前記映像系加入者線終端装置の警報内容を示すデータを含むＯＡＭフレームを作成し前記データ系加入者線端局装置に送信し、前記警報内容データ受信ステップでは、前記データ系加入者線端局装置において、前記映像系加入者線終端装置の警報内容を示すデータを含むＯＡＭフレームを解析することを特徴とする映像系加入者線終端装置の遠隔監視方法である。
【００３１】
この構成によれば、ＯＡＭフレームを利用することにより、データ系加入者線終端装置を介して、映像系加入者線終端装置の遠隔監視をデータ系加入者線端局装置から実行することができる。
【発明の効果】
【００３２】
本発明は、映像系加入者線終端装置の遠隔設定及び遠隔監視を実行し、映像系加入者線終端装置の効率的な運用を可能とする技術を提供することができる。
【図面の簡単な説明】
【００３３】
【図１】ポイントツーポイントの光加入者システムを示す図である。
【図２】ポイントツーマルチポイントの光加入者システムを示す図である。
【図３】本発明の光加入者システムを示す図である。
【図４】本発明の共通実装機能部を示す図である。
【図５】本発明のＤ−ＰＯＮ機能部を示す図である。
【図６】本発明のＶ機能部を示す図である。
【図７】本発明のＶ−ＯＮＵの遠隔設定方法を示す図である。
【図８】本発明のＶ−ＯＮＵの遠隔監視方法を示す図である。
【図９】本発明のＶ−ＯＮＵの遠隔設定方法及び遠隔監視方法を示す図である。
【発明を実施するための形態】
【００３４】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３５】
本発明においても従来技術と同様に、図１のポイントツーポイントの光加入者システム及び図２のポイントツーマルチポイントの光加入者システムを適用することができる。図３は、本発明の光加入者システムを示す図である。図３の光加入者システムは、制御端末ＴＣ、ユーザデータ情報端末ＴＤ、テレビ受像機ＴＶ、光ファイバＦ、光スプリッタＳ、Ｄ−ＯＬＴ１、Ｖ−ＯＬＴ２及びＯＮＵ３から構成される。ＯＮＵ３は、共通実装機能部３１、Ｄ−ＰＯＮ機能部３２、Ｖ機能部３３、ＰＯＮ−ＩＦポート３４、ＵＮＩポート３５及びＲＦ−ＯＵＴ３６から構成される。
【００３６】
共通実装機能部３１は、データ系及び映像系に共通の処理を実行し、ＰＯＮ−ＩＦポート３４をインタフェースとして上り方向の光ファイバＦ及び光スプリッタＳに接続される。Ｄ−ＰＯＮ機能部３２は、データ系に特有の処理を実行し、ＵＮＩポート３５をインタフェースとしてユーザデータ情報端末ＴＤに接続される。Ｖ機能部３３は、映像系に特有の処理を実行し、ＲＦ−ＯＵＴ３６をインタフェースとしてテレビ受像機ＴＶに接続される。制御端末ＴＣは、Ｄ−ＯＬＴ１に接続され、Ｄ−ＰＯＮ機能部３２及びＶ機能部３３を制御する。Ｄ−ＰＯＮ機能部３２は、データ系加入者線終端装置として機能し、Ｖ機能部３３は、映像系加入者線終端装置として機能する。
【００３７】
図４は、本発明の共通実装機能部を示す図である。図４の共通実装機能部３１は、光送受信部３１１、波長分岐部３１２、電源部３１３及び電源ポート３１４から構成される。
【００３８】
光送受信部３１１は、Ｄ−ＯＬＴ１との間でデータ系信号を送受信し、Ｖ−ＯＬＴ２との間で映像系信号を受信する。波長分岐部３１２は、データ系信号及び映像系信号を分岐し、Ｄ−ＰＯＮ機能部３２内の後述のＰＭＤ機能部３２１との間でデータ系信号を送受信し、Ｖ機能部３３内の後述の光／電気変換機能部３３１との間で映像系信号を送信する。電源部３１３は、Ｄ−ＰＯＮ機能部３２内及びＶ機能部３３内の後述の各機能部に電源を供給し、電源ポート３１４をインタフェースとして不図示の電源に接続される。
【００３９】
図５は、本発明のＤ−ＰＯＮ機能部を示す図である。図５のＤ−ＰＯＮ機能部３２は、ＰＭＤ機能部３２１、ＵＮＩポート機能部３２２、ＯＡＭ機能部３２３、保守機能部３２４、認証機能部３２５、ブリッジ／ＶＬＡＮ機能部３２６、暗号化／復号化機能部３２７、ＭＡＣ  Ｃｏｎｔｒｏｌクライアント機能部３２８、ＭＰＣＰ機能部３２９及びＲＳ／ＰＣＳ／ＰＭＡ機能部３３０から構成される。Ｄ−ＰＯＮ機能部３２内の各機能部は、共通実装機能部３１内の電源部３１３から電源を供給される。
【００４０】
ＰＭＤ機能部３２１は、共通実装機能部３１内の波長分岐部３１２との間でデータ系信号を送受信する。ＵＮＩポート機能部３２２は、ユーザデータ情報端末ＴＤとの間でデータ系信号を送受信する。ＯＡＭ機能部３２３は、ＩＥＥＥ８０２．３ａｈ標準で規定されたＤ−ＯＬＴ１及びＤ−ＰＯＮ機能部３２の間における通信制御用のＯＡＭフレームを生成及び解析する。保守機能部３２４は、ＯＮＵ３のＩＰアドレス、暗号のＯＮ／ＯＦＦの設定値、警報発生中の警報内容及び警報発生時に警報内容をＤ−ＯＬＴ１に通知するかどうかを規定する設定値等を保持する。Ｄ−ＰＯＮ機能部３２の保守機能部３２４は、Ｖ機能部３３の後述の保守機能部３３５と接続される。
【００４１】
認証機能部３２５は、データへのアクセスに対する認証を実行する。ブリッジ／ＶＬＡＮ機能部３２６は、ＩＥＥＥ８０２．１Ｄで規定されているブリッジ機能及びＩＥＥＥ８０２．１Ｑで規定されているＶＬＡＮ機能を提供する。暗号化／復号化機能部３２７は、データの暗号化／復号化を実行する。ＭＡＣ  Ｃｏｎｔｒｏｌクライアント機能部３２８は、Ｐ２ＭＰディスカバリによる通信リンクの確立や上り信号制御を行う。ＭＰＣＰ機能部３２９は、Ｄ−ＰＯＮ機能部３２がＤ−ＯＬＴ１に送信するデータの容量を制御する。ＲＳ／ＰＣＳ／ＰＭＡ機能部３３０は、ＯＬＴ及びＯＮＵの間のイーサネット（登録商標）フレームを識別するためのプリアンブルの識別子の埋め込みやデータの符号化を行う。
【００４２】
図６は、本発明のＶ機能部を示す図である。図６のＶ機能部３３は、光／電気変換機能部３３１、復調機能部３３２、電気増幅機能部３３３、監視機能部３３４及び保守機能部３３５から構成される。Ｖ機能部３３内の各機能部は、共通実装機能部３１内の電源部３１３から電源を供給される。光／電気変換機能部３３１、復調機能部３３２及び電気増幅機能部３３３は、映像系信号受信部として機能し、保守機能部３３５は、設定内容データ通信部及び警報内容データ送信部として機能する。
【００４３】
光／電気変換機能部３３１は、共通実装機能部３１内の波長分岐部３１２との間で映像系信号を受信し、光信号を電気信号に変換する。復調機能部３３２は、映像系信号を復調する。電気増幅機能部３３３は、映像系信号を増幅し、テレビ受像機ＴＶとの間で映像系信号を送信する。監視機能部３３４は、光／電気変換機能部３３１、復調機能部３３２及び電気増幅機能部３３３に異常がないかどうかを監視する。
【００４４】
保守機能部３３５は、映像の視聴可否設定値及び電気増幅機能の増幅レベル値等のＶ機能部３３に関する設定値、ＲＦ−ＯＵＴ信号の異常を通知するＯＵＴ警報情報、映像系光入力断の警報情報、映像系装置故障等の警報情報、警報発生時に警報内容をＤ−ＯＬＴ１に通知するかどうかを規定する設定値並びに光入力レベル値等を保持する。Ｖ機能部３３の保守機能部３３５は、Ｄ−ＰＯＮ機能部３２の保守機能部３２４と接続され、Ｄ−ＰＯＮ機能部３２の保守機能部３２４との間でＶ機能部３３の設定情報を入出力し、Ｄ−ＰＯＮ機能部３２の保守機能部３２４との間でＶ機能部３３の警報情報を出力する。
【００４５】
図７は、本発明のＶ−ＯＮＵの遠隔設定方法を示す図である。Ｄ−ＯＬＴ１の不図示のデータ系信号送受信部及び設定内容データ通信部は、ＯＡＭフレームを送信し、Ｄ−ＰＯＮ機能部３２のＰＭＤ機能部３２１は、ＯＡＭフレームを受信する（設定内容データ下り送信ステップ、ステップＳ１１）。
【００４６】
Ｄ−ＰＯＮ機能部３２のＯＡＭ機能部３２３は、ＯＡＭフレームを解析する（ステップＳ１２）。Ｄ−ＰＯＮ機能部３２のＯＡＭ機能部３２３は、ＯＡＭフレームがＶ機能に関するものであるとき（ステップＳ１２においてＹＥＳ）、Ｄ−ＰＯＮ機能部３２の保守機能部３２４を介して、Ｖ機能部３３の保守機能部３３５にＯＡＭフレームの内容を処理させる（設定内容データ下り中継ステップ及び設定内容データ下り受信ステップ、ステップＳ１３〜ステップＳ１８）。Ｄ−ＰＯＮ機能部３２のＯＡＭ機能部３２３は、ＯＡＭフレームがＤ機能に関するものであるとき（ステップＳ１２においてＮＯ）、Ｄ−ＰＯＮ機能部３２の保守機能部３２４にＯＡＭフレームの内容を処理させる（ステップＳ１９）。
【００４７】
Ｖ機能部３３の保守機能部３３５は、ＯＡＭフレームが視聴可否設定に関するものであるとき（ステップＳ１３においてＹＥＳ）、視聴可否設定を実行する（ステップＳ１４〜ステップＳ１７）。Ｖ機能部３３の保守機能部３３５は、ＯＡＭフレームが視聴可否設定に関するものでないとき（ステップＳ１３においてＮＯ）、視聴可否設定でないＤ−ＯＬＴ１の要求を実行する（ステップＳ１８）。
【００４８】
Ｖ機能部３３の保守機能部３３５は、ＯＡＭフレームが視聴の有効化に関するものであるとき（ステップＳ１４においてＹＥＳ）、光／電気変換機能部３３１を有効化する（ステップＳ１５）。Ｖ機能部３３の保守機能部３３５は、ＯＡＭフレームが視聴の無効化に関するものであるとき（ステップＳ１４においてＮＯ）、光／電気変換機能部３３１を無効化する（ステップＳ１６）。
【００４９】
Ｖ機能部３３の保守機能部３３５は、Ｄ−ＰＯＮ機能部３２の保守機能部３２４を介して、Ｄ−ＰＯＮ機能部３２のＯＡＭ機能部３２３に設定結果を含むＯＡＭフレームを作成させる。Ｄ−ＰＯＮ機能部３２のＰＭＤ機能部３２１は、設定結果を含むＯＡＭフレームを送信し（ステップＳ１７）、Ｄ−ＯＬＴ１の不図示の設定内容データ通信部は、設定結果を含むＯＡＭフレームを受信する。
【００５０】
図７を用いて説明したように、Ｄ−ＰＯＮ機能部３２の保守機能部３２４及びＶ機能部３３の保守機能部３３５は接続されているため、Ｖ機能部３３の設定内容はＤ−ＯＬＴ１の制御端末ＴＣからＤ−ＰＯＮ機能部３２を介してＶ機能部３３へと送信される。よって、Ｖ機能部３３の効率的な遠隔設定を可能とすることができる。
【００５１】
図８は、本発明のＶ−ＯＮＵの遠隔監視方法を示す図である。Ｖ機能部３３の監視機能部３３４は、電気増幅機能部３３３の出力信号が閾値以下であり異常信号であることを確認する（ステップＳ２１）。Ｖ機能部３３の保守機能部３３５は、異常信号情報を警報情報として保存する（ステップＳ２２）。Ｖ機能部３３の保守機能部３３５は、警報情報をＤ−ＯＬＴ１に通知するかどうかを規定する設定値を確認する（ステップＳ２３）。
【００５２】
ステップＳ２３の設定値が警報情報をＤ−ＯＬＴ１に通知することを規定しているとき（ステップＳ２４においてＹＥＳ）、Ｖ機能部３３の保守機能部３３５は、Ｄ−ＰＯＮ機能部３２の保守機能部３２４を介して、Ｄ−ＰＯＮ機能部３２のＯＡＭ機能部３２３に警報情報を含むＯＡＭフレームを作成させる（警報内容データ送信ステップ）。Ｄ−ＰＯＮ機能部３２のＰＭＤ機能部３２１は、警報情報を含むＯＡＭフレームを送信し（警報内容データ中継ステップ、ステップＳ２５）、Ｄ−ＯＬＴ１の不図示の警報内容データ受信部は、警報情報を含むＯＡＭフレームを受信する（警報内容データ受信ステップ）。ステップＳ２３の設定値が警報情報をＤ−ＯＬＴ１に通知しないことを規定しているとき（ステップＳ２４においてＮＯ）、遠隔監視処理を終了する。
【００５３】
図８を用いて説明したように、Ｄ−ＰＯＮ機能部３２の保守機能部３２４及びＶ機能部３３の保守機能部３３５は接続されているため、Ｖ機能部３３の警報情報はＶ機能部３３からＤ−ＰＯＮ機能部３２を介してＤ−ＯＬＴ１の制御端末ＴＣへと送信される。よって、Ｖ機能部３３の効率的な遠隔監視を可能とすることができる。
【００５４】
図９は、本発明のＶ−ＯＮＵの遠隔設定方法及び遠隔監視方法を示す図である。Ｄ−ＯＬＴ１の制御端末ＴＣがＶ機能部３３にＶ機能部３３の設定内容及び警報情報を要求し、Ｖ機能部３３がＤ−ＯＬＴ１の制御端末ＴＣにＶ機能部３３の設定内容及び警報情報を通知する点で、図９のＶ−ＯＮＵの遠隔設定方法及び遠隔監視方法は、図７のＶ−ＯＮＵの遠隔設定方法及び図８のＶ−ＯＮＵの遠隔監視方法と異なる。
【００５５】
Ｄ−ＯＬＴ１の不図示のデータ系信号送受信部は、ＯＡＭフレームを送信し、Ｄ−ＰＯＮ機能部３２のＰＭＤ機能部３２１は、ＯＡＭフレームを受信する（ステップＳ３１）。Ｄ−ＰＯＮ機能部３２のＯＡＭ機能部３２３は、ＯＡＭフレームを解析する（ステップＳ３２）。Ｄ−ＰＯＮ機能部３２のＯＡＭ機能部３２３は、ＯＡＭフレームがＶ機能に関するものであるとき（ステップＳ３２においてＹＥＳ）、Ｄ−ＰＯＮ機能部３２の保守機能部３２４を介して、Ｖ機能部３３の保守機能部３３５にＯＡＭフレームの内容を処理させる（ステップＳ３３〜ステップＳ３６）。Ｄ−ＰＯＮ機能部３２のＯＡＭ機能部３２３は、ＯＡＭフレームがＤ機能に関するものであるとき（ステップＳ３２においてＮＯ）、Ｄ−ＰＯＮ機能部３２の保守機能部３２４にＯＡＭフレームの内容を処理させる（ステップＳ３７）。
【００５６】
Ｖ機能部３３の保守機能部３３５は、ＯＡＭフレームが設定内容又は警報情報の取得に関するものであるとき（ステップＳ３３においてＹＥＳ）、設定内容又は警報情報の通知を実行する（ステップＳ３４、ステップＳ３５）。Ｖ機能部３３の保守機能部３３５は、ＯＡＭフレームが設定内容又は警報情報の取得に関するものでないとき（ステップＳ３３においてＮＯ）、設定内容又は警報情報の通知でないＤ−ＯＬＴ１の要求を実行する（ステップＳ３６）。
【００５７】
Ｖ機能部３３の保守機能部３３５は、Ｄ−ＰＯＮ機能部３２の保守機能部３２４を介して、Ｄ−ＰＯＮ機能部３２のＯＡＭ機能部３２３に設定内容又は警報情報を含むＯＡＭフレームを作成させる（設定内容データ上り送信ステップ又は警報内容データ送信ステップ、ステップＳ３４）。Ｄ−ＰＯＮ機能部３２のＰＭＤ機能部３２１は、設定内容又は警報情報を含むＯＡＭフレームを送信し（設定内容データ上り中継ステップ又は警報内容データ中継ステップ、ステップＳ３５）、Ｄ−ＯＬＴ１の不図示の設定内容データ通信部又は警報内容データ受信部は、設定内容又は警報情報を含むＯＡＭフレームを受信する（設定内容データ上り受信ステップ又は警報内容データ受信ステップ）。
【００５８】
図９を用いて説明したように、Ｄ−ＰＯＮ機能部３２の保守機能部３２４及びＶ機能部３３の保守機能部３３５は接続されている。Ｖ機能部３３の設定内容又は警報情報は、Ｄ−ＯＬＴ１の制御端末ＴＣからＤ−ＰＯＮ機能部３２を介してＶ機能部３３へと要求され、Ｖ機能部３３からＤ−ＰＯＮ機能部３２を介してＤ−ＯＬＴ１の制御端末ＴＣへと通知される。Ｖ機能部３３の効率的な遠隔設定又は遠隔監視を可能とすることができる。
【００５９】
Ｖ機能部３３の警報情報として、図８で説明した映像系信号の異常に関する情報の他に、Ｖ機能部３３の各機能部の異常に関する情報があげられる。Ｖ機能部３３の警報情報が映像系信号の異常に関する情報であったとき、Ｄ−ＯＬＴ１の制御端末ＴＣはＶ−ＯＬＴ２及び映像配信キャリアＣといった上位装置に異常が発生していることを検知できる。Ｖ機能部３３の警報情報がＶ機能部３３の各機能部の異常に関する情報であったとき、Ｄ−ＯＬＴ１の制御端末ＴＣはＶ機能部３３の各機能部といった下位装置に異常が発生していることを検知できる。このように、異常が発生した箇所の切り分けが容易になる。
【００６０】
データ系システム及び映像系システムは、本実施形態では、同一の光ファイバＦに収容されているが、変形例として、異なる光ファイバＦに収容されていてもよい。Ｄ−ＰＯＮ機能部３２及びＶ機能部３３は、本実施形態では、同一のＯＮＵ３という同一の装置に収容されているが、変形例として、異なる装置に収容されていてもよい。要するに、Ｄ−ＰＯＮ機能部３２及びＶ機能部３３が接続されていればよい。図７のＶ−ＯＮＵの遠隔設定方法、図８のＶ−ＯＮＵの遠隔監視方法並びに図９のＶ−ＯＮＵの遠隔設定方法及び遠隔監視方法について、本実施形態では、すべてが実行されているが、変形例として、少なくともいずれかが実行されていてもよい。
【産業上の利用可能性】
【００６１】
本発明に係る映像系加入者線終端装置の遠隔設定システム、映像系加入者線終端装置の遠隔監視システム、映像系加入者線終端装置、データ系加入者線端局装置、映像系加入者線終端装置の遠隔設定方法及び映像系加入者線終端装置の遠隔監視方法は、通信媒体を光に限定されない加入者システムに適用することができる。
【符号の説明】
【００６２】
Ｎ：上位ネットワーク
Ｃ：映像配信キャリア
Ｔ：ユーザ端末
ＴＣ：制御端末
ＴＤ：ユーザデータ情報端末
ＴＶ：テレビ受像機
Ｆ：光ファイバ
Ｓ：光スプリッタ
１：Ｄ−ＯＬＴ
２：Ｖ−ＯＬＴ
３：ＯＮＵ
３１：共通実装機能部
３２：Ｄ−ＰＯＮ機能部
３３：Ｖ機能部
３４：ＰＯＮ−ＩＦポート
３５：ＵＮＩポート
３６：ＲＦ−ＯＵＴ
３１１：光送受信部
３１２：波長分岐部
３１３：電源部
３１４：電源ポート
３２１：ＰＭＤ機能部
３２２：ＵＮＩポート機能部
３２３：ＯＡＭ機能部
３２４：保守機能部
３２５：認証機能部
３２６：ブリッジ／ＶＬＡＮ機能部
３２７：暗号化／復号化機能部
３２８：ＭＡＣ  Ｃｏｎｔｒｏｌクライアント機能部
３２９：ＭＰＣＰ機能部
３３０：ＲＳ／ＰＣＳ／ＰＭＡ機能部
３３１：光／電気変換機能部
３３２：復調機能部
３３３：電気増幅機能部
３３４：監視機能部
３３５：保守機能部
【図１】
0005215355.tif 000002
【図２】
0005215355.tif 000003
【図３】
0005215355.tif 000004
【図４】
0005215355.tif 000005
【図５】
0005215355.tif 000006
【図６】
0005215355.tif 000007
【図７】
0005215355.tif 000008
【図８】
0005215355.tif 000009
【図９】
0005215355.tif 000010